(57)【要約】【課題】種々の寸法の排水口などに採用することができ、係合状態が安定し、液密性が高い多目的ゴム栓を提供する。【解決手段】ゴム状材料から一体に形成され、略円柱状の下端挿入部１１、円板状のフランジ部１２、下端挿入部１１とフランジ部１２との間に介在される略円柱状の中間挿入部１３、１４を備えた多目的ゴム栓１０。下端挿入部１１、中間挿入部１３、１４および第１フランジ部１２は同心状に配列され、順に径が大きくなっている。下端挿入部１１、中間挿入部１３、１４の外周面１１ａ、１３ａ、１４ａは下側に向かってテーパ状となっている。中間挿入部１３、１４およびフランジ部１２の下面１３ｂ、１４ｂ、１２ｂは軸心Ｃに対して直角である。【選択図】図１
0003119374.tif 000002
【実用新案登録請求の範囲】
【請求項１】
ゴム状材料から一体に形成され、
小径の略円柱状の下端挿入部と、大径の円板状のフランジ部と、前記下端挿入部とフランジ部との間に介在される、下端挿入部とフランジ部の中間の径を備えた略円柱状の中間挿入部とを備え、
前記下端挿入部、フランジ部、中間挿入部が同心状に設けられている、
多目的ゴム栓。
【請求項２】
前記中間挿入部が２段以上設けられており、上側の中間挿入部ほど径が大きい請求項１記載の多目的ゴム栓。
【請求項３】
前記下端挿入部および中間挿入部の外周面が、下側に向かっていくらか径が小さいテーパ状とされている請求項１記載の多目的ゴム栓。
【請求項４】
前記中間挿入部およびフランジ部の下面が軸心に対して直角の平面となっている請求項１または３記載の多目的ゴム栓。
【請求項５】
中心部にチェーン連結用の貫通孔が形成されている請求項１記載の多目的ゴム栓。
【請求項６】
前記貫通孔の内面の途中に、上側で小径となる段部が設けられている請求項５記載の多目的ゴム栓。
【考案の詳細な説明】
【技術分野】
【０００１】
本考案は多目的ゴム栓に関する。さらに詳しくは、浴槽や洗面ボウル、あるいは流し台の排水口を止水する止水栓などに用いる多目的ゴム栓に関する。
【背景技術】
【０００２】
【特許文献１】実開平７−７５８２号公報
【０００３】
浴槽の排水口は、特許文献１などに開示されているように、排水口を構成する金具と、その金具に密に嵌合するゴム栓とから構成されている。金具およびゴム栓は液密性を高めるため、下方に向かって小径となるテーパ状にされていることもある。しかしこのような金具に合わせた専用のゴム栓は、他種類の金具に合わせることができないので、他種類を準備する必要があり、交換用部品として販売する場合も煩雑である。
【考案の開示】
【考案が解決しようとする課題】
【０００４】
本考案は種々の寸法の排水口などに採用することができ、しかも係合状態が安定し、液密性が高い多目的ゴム栓を提供することを技術課題としている。
【課題を解決するための手段】
【０００５】
本考案の多目的ゴム栓は、ゴム状材料から一体に形成され、小径の略円柱状の下端挿入部と、大径の円板状のフランジ部と、前記下端挿入部とフランジ部との間に介在される、下端挿入部とフランジ部の中間の径を備えた略円柱状の中間挿入部とを備え、前記下端挿入部、フランジ部、中間挿入部が略同心状に設けられていることを特徴としている。なお、「ゴム状材料」とは、天然ゴム、合成ゴムなどのゴムのほか、ポリウレタン、熱可塑性エラストマーなど、ゴムと同様の性質を示す合成樹脂や高分子材料を含む意味である。
【０００６】
このような多目的ゴム栓においては、前記中間挿入部が２段以上設けられており、上側の中間挿入部ほど径が大きいものが好ましい。さらに前記下端挿入部および中間挿入部の外周面が下側に向かっていくらか径が小さいテーパ状となっているものでもよい。また、前記中間挿入部およびフランジ部の下面が、軸心に対して直角の平面となっているものが好ましい。さらに中心部にチェーン連結用の貫通孔が形成されているものでもよい。その場合は、貫通孔の内面の途中に、上側で小径となる段部が設けられているものが好ましい。
【考案の効果】
【０００７】
本考案の多目的ゴム栓は、小径の排水口の金具に対しては、下端挿入部を嵌合または挿入してシールすることができる。そして径が大きい金具に対しては、中間挿入部を嵌合または挿入してシールすることができる。一般的に配管部品は規格があり、寸法は段階的に数種類あるものの、排水口として採用されるのは２〜３種類に留まる。そのため、球面状のゴム栓のように、連続的に変化するすべての口径に合わせる必要がない。本考案はこのことに着目してなされたものであり、規格に合わせた下端挿入部と中間挿入部の２種類の挿入部で２種類の排水口に対応することができる。
【０００８】
また、下端挿入部や中間挿入部が密に嵌合しない規格外の排水口の金具の場合は、下端挿入部を挿入して中間挿入部の下面を金具の上面に当接させたり、中間挿入部を挿入してフランジ部の下面を金具の上面に当接させたりすることにより、シールすることができる。それにより他種類の排水口の金具に対応することができる。
【０００９】
前記多目的ゴム栓において、中間挿入部が２段以上設けられており、上側の中間挿入部ほど径が大きい場合は、対応できる排水口の金具の種類がさらに増加する。また、前記下端挿入部および中間挿入部の外周面が下側に向かっていくらか径が小さいテーパ状となっている場合は、そのテーパの範囲で種々の内径の金具に対応することができ、しかもテーパ状の開口部を備えた金具に対する液密性が高い。
【００１０】
前記中間挿入部およびフランジ部の下面が、軸心に対して直角の平面となっている場合は、下端挿入部や中間挿入部が金具の内径より小さい場合に、中間挿入部やフランジ部の下面が金具の上面と密に当接するので、中間挿入部やフランジ部の下面でシールする場合のシール性が向上する。
【００１１】
中心部にチェーン連結用の貫通孔が形成されている多目的ゴム栓は、その貫通孔にチェーンを連結具を密に嵌合・固定することができる。それによりチェーンの端部を容易に連結することができる。前記貫通孔の内面の途中に、上側で小径となる段部が設けられている場合は、その段部に連結具を係合させることにより、連結具をしっかりと多目的ゴム栓に固定することができる。
【考案を実施するための最良の形態】
【００１２】
つぎに図面を参照しながら本考案の多目的ゴム栓の実施の形態について説明する。図１は本考案の多目的ゴム栓の一実施形態を示す一部切り欠き斜視図、図２はその多目的ゴム栓の断面図、図３ａ、図３ｂおよび図３ｃはそれぞれ図１の多目的ゴム栓の使用状態を示す側面図、図４〜７はそれぞれ本考案の多目的ゴム栓の他の実施形態を示す側面図、図８は本考案の多目的ゴム栓のさらに他の実施形態を示す断面図である。
【００１３】
図１に示す多目的ゴム栓１０は、小径の略円柱状の下端挿入部１１と、上端に配置される大径の円板状のフランジ部１２と、それらの間に介在される、それぞれ略円柱状の第１中間挿入部１３および第２中間挿入部部１４とを備えた４段構成のゴム栓である。下端挿入部１１、第１中間挿入部１３、第２中間挿入部１４およびフランジ部１２は、同心状に配列され、上にいくほど径が大きくなっている。各部分の外径は、配管器具の規格などで定まっている寸法を組み合わせるのが好ましい。ただし他の寸法の組み合わせでもよい。
【００１４】
また、この多目的ゴム栓１０は、図２に示すように、下端挿入部１１、第１中間挿入部１３および第２中間挿入部１４の外周面１１ａ、１３ａ、１４ａは、いずれも下側に向かっていくらか径が小さくなるテーパ状とされている。テーパの角度θは一般の配管材料に用いられる日本工業規格などで定められる角度が採用される。しかしその角度に限定されるものではなく、２〜１５度程度、５〜１０度程度などとすることができる。さらに角度０の円柱状であってもよい。フランジ部１２の外周面１２ａはテーパ状にする必要はなく、通常は成形に容易な円柱状にする。
【００１５】
さらに下端挿入部１１、第１中間挿入部１３、第２中間挿入部１４およびフランジ部１２の下面１１ｂ、１３ｂ、１４ｂ、１２ｂはそれぞれ中心軸Ｃに対して直角の平面となっている。
【００１６】
また、多目的ゴム栓１０の中心部には、チェーン連結用の貫通孔１５が形成されている。この貫通孔１５は、その内面の途中に、上側で小径となる段部１６が形成されており、それにより想像線で示す連結具１７を係止するようにしている。すなわち、連結具１７は上端にチェーン連結環１９を備え、上部にフランジ部１２と係合する膨大部２０を有し、下端にねじ部を備えた略棒状の本体と、ねじ部２１と螺合するナット２２とからなる。そしてナット２２は多目的ゴム栓１０の段部１６と係合して、上下から多目的ゴム栓１０を挟着する。それにより貫通孔１５をシールすると共に、連結具１７を多目的ゴム栓１０に固定することができる。
【００１７】
多目的ゴム栓１０は、天然ゴム、イソプレンなどの合成ゴム、熱可塑性エラストマー、ポリウレタンなどのゴム状の合成樹脂など、ゴム状材料から一体に形成されている。ゴムの硬さは従来のゴム栓と同程度でよい。ただし使用する環境に応じて、耐熱性、耐薬品性、耐候性にすぐれた材料を選択して採用するようにしてもよい。
【００１８】
上記のように構成される多目的ゴム栓１０は、たとえば図３ａに示す小径の排水口の金具２５の開口部２６を止水するために用いるられる。この場合、最小径の下端挿入部１１が開口部２６に嵌合する。そしてテーパ状の嵌合と相俟って、開口部２６をシールすることができる。他方、径が大きい排水口の金具２５に用いる場合は、図３ｂに示すように、第１中間挿入部１３あるいは第２中間挿入部１４を挿入して止水することができる。
【００１９】
通常は上記のようにいずれかの挿入部１１、１３、１４を嵌合させて止水するが、いずれの挿入部とも嵌合しない、いわば規格外れの開口部２６を備えた金具の場合は、挿入した挿入部の上側の部位（挿入部あるいはフランジ部）の下面を金具２５の上面と当接させて止水する。たとえば図３ｃのように、下端挿入部１１と第１中間挿入部１３の間の径の開口部２６を備えた金具２５に用いる場合は、下端挿入部１１を開口部２６内に遊嵌状態で挿入し、第１中間挿入部１３の下面１３ｂを金具２５の上面に当接させる。それにより止水作用が奏される。第１中間挿入部１３と第２中間挿入部１４の間の径の開口部２６を備えた金具２５、あるいは第２中間部１４とフランジ部１２の間の径の開口部２６を備えた金具２５に用いる場合も同様である。
【００２０】
図４〜７はそれぞれ本考案の多目的ゴム栓の他の実施形態を示している。図４の多目的ゴム栓３０は、各挿入部１１、１３、１４の外周面１１ａ、１３ａ、１４ａが円筒状を呈している。他の構成は図１〜２のものと同様である。この多目的ゴム栓３０は、円筒状の開口部２６を備えた排水口の金具２５に適している。なお、各挿入部の外周面は金型の抜き勾配程度のテーパを有していてもよい。
【００２１】
さらにこの多目的ゴム栓３０は、貫通孔を備えておらず、チェーンを連結するための連結具３１の下端のフランジ３２が多目的ゴム栓３０のフランジ部１２の上面に埋め込まれている。このような埋め込みは、生ゴムの成形のときにインサート成形するなどにより行うことができる。図１あるいは図４〜７の多目的ゴム栓についても、同様に連結具３１を埋め込むことができる。
【００２２】
図５に示す多目的ゴム栓３４は、中間挿入部３５が１段だけ設けられている。このような多目的ゴム栓３４は、対応できる金具の範囲が狭くなるが、小型にすることができ、製造が容易で、安価に製造することができる。
【００２３】
図６に示す多目的ゴム栓３６は、第１中間挿入部１３、第２中間挿入部１４およびフランジ部１２のそれぞれの下面１３ａ、１４ａ、１２ａが球面状にされている。そのため、想像線で示すように、規格外の金具２５に使用する場合、その金具２５の開口部２６の上端内縁のコーナ部３７としっかりと係合するので、止水効果（シール効果）が高い。
【００２４】
また、図７に示す多目的ゴム栓３８のように、第１中間挿入部１３、第２中間挿入部１４およびフランジ部１２のそれぞれの下面１３ｂ、１４ｂ、１２ｂを扁平なテーパ面にしてもよい。その場合も金具２５の開口部２６のコーナ部３７としっかりと係合する。
【００２５】
図８に示す多目的ゴム栓４０は、フランジ部１２を中心にして、上側に第３中間挿入部４１および上端挿入部４２が設けられている。この場合、第３中間挿入部３９の外径は第１中間挿入部１３と第２中間挿入部１４の間の寸法とし、上端挿入部４２の外径は下端挿入部１１と第１中間挿入部１３の間の寸法とするのが好ましい。
【００２６】
そして上端挿入部４２から連結具１７が突出しており、さらに下側の下端挿入部１１から第２の連結具４３が突出している。なお、多目的ゴム栓４０の中央に貫通孔１５を設け、一方の連結具（たとえば、上側の連結具１７）の端部に他方の連結具（たとえば第２の連結具４３）をネジなどで固定するようにしてもよい。
【００２７】
このように上下にそれぞれ径が異なる挿入部を備えた多目的ゴム栓４０は、製造が煩雑になり、全体の厚さが増加するが、上下を逆にして止水する場合を含め、対応できる排水口の金具の種類が多くなる。
【図面の簡単な説明】
【００２８】
【図１】本考案の多目的ゴム栓の一実施形態を示す一部切り欠き斜視図である。
【図２】その多目的ゴム栓の断面図である。
【図３】図３ａ、図３ｂおよび図３ｃはそれぞれ図１の多目的ゴム栓の使用状態を示す側面図である。
【図４】本考案の多目的ゴム栓の他の実施形態を示す側面図である。
【図５】本考案の多目的ゴム栓のさらに他の実施形態を示す側面図である。
【図６】本考案の多目的ゴム栓のさらに他の実施形態を示す側面図である。
【図７】本考案の多目的ゴム栓のさらに他の実施形態を示す側面図である。
【図８】本考案の多目的ゴム栓のさらに他の実施形態を示す断面図である。
【符号の説明】
【００２９】
１０  多目的ゴム栓
１１  下端挿入部
１１ａ  外周面
１１ｂ  下面
１２  フランジ部
１２ａ  外周面
１２ｂ  下面
１３  第１中間挿入部
１３ａ  外周面
１３ｂ  下面
１４  第２中間挿入部
１４ａ  外周面
１４ｂ  下面
１５  貫通孔
１６  段部
１７  連結具
１９  連結環
２０  膨大部
２２  ナット
２５  金具
２６  開口部
３０  多目的ゴム栓
３１  連結具
３２  フランジ
３４  多目的ゴム栓
３５  中間挿入部
３６  多目的ゴム栓
３７  コーナ部
３８  多目的ゴム栓
４０  多目的ゴム栓
３１  第３中間挿入部
４０  第４中間挿入部
４１  下端挿入部
４２  上端挿入部
４３  第２の連結具
【図１】
0003119374.tif 000003
【図２】
0003119374.tif 000004
【図３】
0003119374.tif 000005
【図４】
0003119374.tif 000006
【図５】
0003119374.tif 000007
【図６】
0003119374.tif 000008
【図７】
0003119374.tif 000009
【図８】
0003119374.tif 000010